(57)【要約】【課題】ねじなし端子台の組み立て時において、各極毎に設けられる接続電線解除具を正しい極に装着することができ、製品として電気的に安全な接続電線解除具を備えたねじなし端子台の構造を提供すること。【課題を解決するための手段】各極の電線接続端子部を隔てる壁部が該電線接続端子の並設方向に夫々並設されて形成される多極用ねじなし端子台の構造であって、自極の電線接続端子部に対して他極用の接続電線解除具が該自極に装着されることを防止する他極用接続電線解除具の装着防止手段が備えられたことを特徴として構成した。【選択図】図１
2013165050.tif 000002
【特許請求の範囲】
【請求項１】
各極の電線接続端子部を隔てる壁部が該電線接続端子の並設方向に夫々並設されて形成される多極用ねじなし端子台の構造であって、
自極の電線接続端子部に対して他極用の接続電線解除具が該自極に装着されることを防止する他極用接続電線解除具の装着防止手段が備えられたことを特徴とする
接続電線解除具を備えたねじなし端子台構造。
【請求項２】
前記装着防止手段は、
自極のねじなし端子部と他極のねじなし端子部とを隔てる前記壁部と、
前記接続電線解除具自身とに
設けられたことを特徴とする請求項１記載の接続電線解除具を備えたねじなし端子台構造。
【請求項３】
他極用の接続電線解除具を自極側に配設する場合においては、
前記壁部に設けられた第一の装着防止手段と、
前記接続電線解除具に設けられた第二の装着防止手段とが、
当接干渉することにより、
前記他極用の接続電線解除具が自極側に装着されることが妨げられることを特徴とする請求項２記載の接続電線解除具を備えたねじなし端子台構造。
【請求項４】
前記壁部に設けられた第一の装着防止手段は、該壁部に形成された壁部凹部からなる一方、
他極用の接続電線解除具には、自極用の接続電線解除具の所定位置への装着時において、
前記壁部凹部と当接干渉する第二の装着防止手段としての当接干渉部が形成されて、
前記他極用の接続電線解除具が自極側に装着されることが妨げられることを特徴とする請求項３記載の接続電線解除具を備えたねじなし端子台構造。
【請求項５】
前記壁部に設けられた第一の装着防止手段は、該壁部に形成された壁部突出部からなる一方、
他極用の接続電線解除具には、自極用の接続電線解除具の所定位置への装着時において、
前記壁部突出部と当接干渉する第二の装着防止手段としての当接干渉部が形成されて、
前記他極用の接続電線解除具が自極側に装着されることが妨げられることを特徴とする請求項３記載の接続電線解除具を備えたねじなし端子台構造。
【請求項６】
自極用の接続電線解除具には、自極用の接続電線解除具の所定位置への装着時において、
前記壁部に設けられた第一の装着防止手段と干渉しない場所に突出部又は凹部が形成され、
自極側に装着されることが許容されることを特徴とする請求項３乃至請求項５記載のうち何れか１項に記載の接続電線解除具を備えたねじなし端子台構造。
【発明の詳細な説明】
【技術分野】
【０００１】
本発明は、電線を接続するねじなし端子部の構造に係り、より詳しくは、ねじなし端子部に接続された電線を接続解除するための接続電線解除具を他極に誤って装着することを防止するねじなし端子部の構造に関するものである。
【背景技術】
【０００２】
一般的なねじなし端子台として、特許文献１に開示されたように、電線の挿入孔を有する本体と、本体内部に納められたコの字状に折り曲げられた金属金具と、金属金具のコの字状の内部に納められ、電線を金属金具の内面に押圧する板バネとを有する端子台が周知である。この端子台は、電線を本体の挿入孔に挿入すると、電線は板バネの弾性力により金属金具の接続部に押付けられながら、板バネと接続部の間を摺動する。そして電線は板バネにより金属金具の接続部に押圧された状態で保持されるものである。
【０００３】
電線の抜き去り時は、特許文献１の図２に示されたように、リリースボタン４０を押し込むことにより、導電部５１を押圧している板バネを下方に弾性変形させて、電線の導電部５１と板バネ３０との間に隙間を形成し、電線に食い込んでいた板バネによるロックを外し、引抜を行なう。前記リリースボタン４０は、特許文献１の図１に示されたように各極共通に設けられており、該リリースボタン４０を押し込むと夫々の極の板バネによるロックが外れる構造である。
【０００４】
また、リリースボタンが各極に夫々設けられたねじなし端子の例として、特許文献２に各極独立に設けられたリリースボタン３２を備えた端子アセンブリ１が開示されている。前記端子アセンブリ１においては、一方の極に設けられたリリースボタン３２の押し込み操作は、他方の極に影響を及ぼさない。即ち、端子アセンブリ１の各極に接続された電線を引き抜く場合には、夫々の極毎にリリースボタン３２を押し込むと、接続された電線を引き抜くことが可能となる構造である。
【先行技術文献】
【特許文献】
【０００５】
【特許文献１】特開２０００−１８２６８４号公報
【特許文献２】特開２００４−１４１５２号公報
【発明の概要】
【発明が解決しようとする課題】
【０００６】
このようなねじなし端子台において電線を接続する端子の極性が定められている場合、その極性を誤って接続すると、接続される負荷機器などに電気的な影響を及ぼすおそれがある。即ち、例えば電圧極と中性極を違えて電線を接続すると、接続される負荷機器は動作しないか、故障する可能性がある。また、信号線を接続する場合においては、正しい信号伝達ができなくなるおそれがある。そこで、ねじなし端子台における各極のリリースボタンに極毎に区別する手段（例えばリリースボタンを極毎に色分けする、極性表示を行なうなど）が考えられるが、組み立て時において、リリースボタンそのものの端子台への取り付け位置を誤った場合には、前記極性表示どおりに電線を接続した場合でも実際には誤った配線となってしまうおそれがある。
【０００７】
そこで、本発明は上述したような問題点を解決して、ねじなし端子台の組み立て時において、各極毎に設けられる接続電線解除具を正しい極に装着することができ、製品として電気的に安全な接続電線解除具を備えたねじなし端子台の構造を提供することを提供することを目的とする。
【課題を解決するための手段】
【０００８】
本発明に係る接続電線解除具を備えたねじなし端子台の構造は、上述の課題を解決すべく構成されたもので、
各極の電線接続端子部を隔てる壁部が該電線接続端子の並設方向に夫々並設されて形成される多極用ねじなし端子台の構造であって、
自極の電線接続端子部に対して他極用の接続電線解除具が該自極に装着されることを防止する他極用接続電線解除具の装着防止手段が備えられたことを特徴として構成するとよい。
【０００９】
かかる構成によれば、ねじなし端子台の組み立て時において、極性を違えて組み立てることがなくなり、製品として電気安全性に優れた接続電線解除具を備えたねじなし端子台構造を提供することができる。
【００１０】
また、前記装着防止手段は、
自極のねじなし端子部と他極のねじなし端子部とを隔てる前記壁部と、
前記接続電線解除具自身とに
設けて構成してもよい。
【００１１】
かかる構成によれば、本来のねじなし端子台を構成する部品に加えて、新たに追加部品を設けて装着防止手段を構成する必要がなく、低コストで接続電線解除具を備えたねじなし端子台構造を提供することができる。
【００１２】
また、他極用の接続電線解除具を自極側に配設する場合においては、
前記壁部に設けられた第一の装着防止手段と、
前記接続電線解除具に設けられた第二の装着防止手段とが、
当接干渉することにより、
前記他極用の接続電線解除具が自極側に装着されることが妨げられることを特徴として構成してもよい。
【００１３】
かかる構成によれば、ねじなし端子台の組み立て時において、自極に適した接続電線解除具でない接続電線解除具を装着している状態であることが明確に分かり、極性を違えて組み立てる誤りを極力低減できる。
【００１４】
また、前記壁部に設けられた第一の装着防止手段は、該壁部に形成された壁部凹部からなる一方、
他極用の接続電線解除具には、自極用の接続電線解除具の所定位置への装着時において、
前記壁部凹部と当接干渉する第二の装着防止手段としての当接干渉部が形成されて、
前記他極用の接続電線解除具が自極側に装着されることが妨げられることを特徴として構成してもよい。
【００１５】
かかる構成によれば、壁部に凹部を形成するとともに、接続電線解除具に該壁部凹部と当接干渉部を設けることにより、簡易な構成で確実に他極用の接続電線解除具が自極側に装着されることが妨げられることができる。
【００１６】
また、前記壁部に設けられた第一の装着防止手段は、該壁部に形成された壁部突出部からなる一方、
他極用の接続電線解除具には、自極用の接続電線解除具の所定位置への装着時において、
前記壁部突出部と当接干渉する第二の装着防止手段としての当接干渉部が形成されて、
前記他極用の接続電線解除具が自極側に装着されることが妨げられることを特徴として構成してもよい。
【００１７】
かかる構成によれば、壁部に突出部を形成するとともに、接続電線解除具に該壁部突出部と当接干渉部を設けることにより、簡易な構成で確実に他極用の接続電線解除具が自極側に装着されることが妨げられることができる。
【００１８】
また、自極用の接続電線解除具には、自極用の接続電線解除具の所定位置への装着時において、
前記壁部に設けられた第一の装着防止手段と干渉しない場所に突出部又は凹部が形成され、
自極側に装着されることが許容されることを特徴として構成してもよい。
【００１９】
かかる構成によれば、組み立て時において自極に適した接続電線解除具である場合には、上記したような、部品同士が当接干渉することなく所定の位置に装着することができ、組み立て時における項数の増加を伴うことなく、端子台の製造を行なうことができる。
【発明の効果】
【００２０】
以上の如く、本発明によれば、ねじなし端子台の組み立て時において、各極毎に設けられる接続電線解除具を正しい極に装着することができ、組み立て誤りに起因する電線の誤接続を抑制でき、製品として電気的に安全な接続電線解除具を備えたねじなし端子台の構造を提供することを提供することができる。
【図面の簡単な説明】
【００２１】
【図１】本発明の第一の実施形態を示すねじなし端子台の外観構成図を示す。
【図２】端子台のケースを外したときの説明図を示す。
【図３】ケース内における接続電線解除具と壁部との位置関係を示す。
【図４】第二の実施形態を示すねじなし端子台の内部説明図を示す。
【図５】第三の実施形態を示すねじなし端子台の内部説明図を示す。
【図６】従来例におけるねじなし端子台を示す。
【図７】従来例におけるねじなし端子台を示す。
【発明を実施するための形態】
【００２２】
本発明の接続電線解除具を備えたねじなし端子台の構造の第一の実施形態を図１から図３を用いて説明する。
【００２３】
（第一の実施形態）
図１は接続電線解除具を備えたねじなし端子台１の外観構成図を示している。該接続電線解除具を備えたねじなし端子台１は、その器体の外郭が、ケースＡ１０、ケースＢ１１、ケースＣ１２が組み合わされて構成される形態であり、端子の並設方向において、ケースＣ１２が前記前記ケースＡ１０及びケースＢ１１によって挟み込まれて構成される。
【００２４】
前記器体は略直方体形状に形成されており、該器体の一方の面ａ側には、電線の挿入孔（電線挿入孔２０，２１）が前記端子の並設方向に並設されて形成されるとともに、器体の内部に向かって前記端子の並設方向と略垂直方向に形成される。前記面ａと対向する面ｂ側には、電線挿入孔から挿入された電線と電気的に接続される端子板が配設される。前記器体の面ｃ側には、接続した電線の抜き去り時に押圧して電線の接続を解除する接続電線解除具３０，３１が操作部を器体外部に露出させて形成されている。
【００２５】
図２には、前記接続電線解除具を備えたねじなし端子台１の器体において、ケースＡ１０、ケースＢ１１を外したときの外観図を示している。該器体内は、前記ケースＣ１２の壁部によって夫々の極が前記端子の並設方向について絶縁された構成となっている。夫々の極のうち、電線挿入孔２０に対応する一方の極においては、前記電線挿入孔２０から挿入された電線が接続されるねじなし端子及び接続電線解除具３０が設けられ、電線挿入孔２１に対応する他方の極においては、前記電線挿入孔２１から挿入された電線が接続されるねじなし端子及び接続電線解除具３１が設けられている。
【００２６】
続いて、前記ケースＣ１２の壁部によって絶縁された手前側の端子部について説明を行なう。電線が接続されるねじなし端子は、電線の挿入孔の側から見て略コの字状に折り曲げ形成され一端に外部に接続される端子板５１を備えた金属製の端子金具５０と、該端子金具５０のコの字状の内側に配置されて、挿入された電線を前記金具のコの字状の内側に押圧する鎖状ばね４０とから構成される。鎖状ばね４０の両端部はいずれも前記器体の内側方向に傾いた形状となっている。そのうち、より内側に位置する一端部４０ａは先端が折り返されて電線を抜き去る時に電線の心線にひっかからないように形成されている。外側に位置する他端部４０ｂは先端の折り返し処理がなされておらず、電線に引き抜く方向に力が加わったときには心線に食い込んで鎖状ばねが広がる方向に弾性的に変位し、電線の抜け止め作用を有する。
【００２７】
該鎖状ばね４０と、前記端子金具５０のコの字状の内側の隙間の大きさは、電線の心線の直径の大きさよりも狭くなるよう構成されている。前記ねじなし端子に電線を接続するときは、前記電線挿入孔２０，２１から挿入された電線の心線が、前記金具５１のコの字状の内側と鎖状ばね４０との隙間に差し込まれていくと同時に鎖状ばねを縮める方向に撓ませ、該電線の心線が該鎖状ばねの復元弾性力により端子金具５０のコの字状の内側に押圧されながら内部に差し込まれていく。そして所定位置まで差し込まれた場合には、前記鎖状ばね４０の弾性力により前記端子金具に前記心線が押圧された状態で接続保持される。
【００２８】
図２において、鎖状ばね４０の端部４０ｂの上方には、前記接続電線解除具３０が配置されている。電線の抜き去り時には、該接続電線解除具３０を下方に押し込むように操作して、鎖状ばね４０の端部４０ｂに当接させ、電線の心線を接続保持している状態から鎖状ばねが縮むように撓ませる。電線を前記金具５０のコの字状の内側に押圧する力が減少していき、心線への食い込みがなくなる程度まで押圧すると、鎖状ばね４０の端部４０ｂによる電線の抜け止め作用が得られなくなって、ついには電線の抜き去りが行なえる。なお、図２における前記ケースＣ１２の壁部によって絶縁された奥側の端子部についても同様の構成である。
【００２９】
次に、図３を用いて、自極の電線接続端子部に対して他極用の接続電線解除具が自極に装着されることを防止する装着防止手段の構造について説明を行なう。
【００３０】
図３（ａ）は、ケースＡ１０、ケースＢ１１、ケースＣ１２が正常に組み合わされて構成された場合の夫々のケース内における接続電線解除具と壁部との位置関係を、図１における接続電線解除具を備えたねじなし端子台構造１のＡ−Ａ線での矢印方向から見た要部断面図である。また、図３（ｂ）はケースＣ１２に対する接続電線解除具３０の位置関係、及びケースＢ１１に対する接続電線解除具３１の位置関係を示した図である。装着防止手段の説明のため、接続電線解除具３０の側を自極側とし、接続電線解除具３１の側を他極側とする。
【００３１】
まず、装着防止手段として、ケースの壁部に設けられた凹部と、接続電線解除具に設けられた突出部とから構成される形態について説明を行なう。
自極側のケースＣ１２の壁部には自極側の接続電線解除具３０が配置される場所において、第一の装着防止手段としての壁部凹部１２１が形成される。また、自極側の接続電線解除具３０には前記ケースＣ１２の壁部凹部に対応する位置において、接続電線解除具の突出部３０２が形成される。自極側においては、前記器体の電線挿入方向において、接続電線解除具３０の略中央部付近に前記突出部３０２が形成される。
【００３２】
また、前記突出部３０２の長さは前記壁部凹部１２１の凹みの深さにはまり込む程度に設けられており、なおかつ、接続電線解除具３０とケースＡ１０及びケースＣ１２との間隙の大きさは突出部３０２の長さよりも小さく設けられている。なお、前記壁部凹部１２１の形状は、電線の抜き去り時に接続電線解除具３０を押し込むときの変位に追随する前記突出部３０２の変位を避けられるよう長細い形状となっている。
【００３３】
他極側のケースＢ１１の壁部には、他極側の接続電線解除具３１が配置される場所において壁部凹部１１１が形成される。また、他極側の接続電線解除具３１には前記ケースＢ１１の壁部凹部に対応する位置において、第二の装着防止手段としての接続電線解除具の突出部３１２が形成される。
【００３４】
また、前記突出部３０２と同様に、前記突出部３１２の長さは前記壁部凹部１１１の凹みの深さにはまり込む程度に設けられており、なおかつ、接続電線解除具３１とケースＢ１１及びケースＣ１２との間隙の大きさは突出部３１２の長さよりも小さく設けられている。なお、前記壁部凹部１１１の形状は、電線の抜き去り時に接続電線解除具３１を押し込むときの変位に追随する前記突出部３１２の変位を避けられるよう長細い形状となっている。
【００３５】
他極側における前記突出部３１２は、前記器体の電線挿入方向において、接続電線解除具３１の略中央部から偏った部分であって、なおかつ前記ケースＣ１２における壁部凹部１２１が設けられる位置からは偏った部分に突出部３０１が形成される。
【００３６】
さて、他極側における接続電線解除具３１を、自極側における接続電線解除具３０に代えて装着する場合には、第二の装着防止手段としての接続電線解除具３１の突出部３１２の形成位置が、自極側の第一の装着防止手段としての壁部凹部１２１の形成位置とは対応しない。即ち、前記突出部３１２が前記壁部凹部１２１に入り込まず、該突出部３１２はケースＣ１２の壁部表面に当接干渉する。したがって、ケースＣ１２に対して、ケースＡ１０を組み合わせる作業を行なうときには、互いのケース間に前記接続電線解除具３１が挟まり、ケースＡ１０をケースＣ１２に完全には組み合わせることができない。
【００３７】
このように、接続電線解除具を備えたねじなし端子台を組み立てるにあたり、他極側の接続電線解除具３１を自極側に誤って組み付けたことが端子台の組み立て時に認識でき、製品として電気的に安全な接続電線解除具を備えたねじなし端子台を提供することができる。
【００３８】
（第二の実施形態）
第二の実施形態においては、前述した第一の実施形態における凹部と突出部との位置関係を入れ替えて形成したものである。即ち、ケースＣ１２及びケースＢ１１に壁部突出部１２２，１１２を形成する一方、夫々の接続電線解除具３０，３１に、前記壁部突出部に対応する位置に凹部３０３，３１３を形成したものである。図４を用いて、自極の電線接続端子部に対して他極用の接続電線解除具が自極に装着されることを防止する装着防止手段の構造について説明を行なう。
【００３９】
図４（ａ）は、図３と同様、ケースＡ１０、ケースＢ１１、ケースＣ１２が正常に組み合わされて構成された場合の夫々のケース内における接続電線解除具と壁部との位置関係を、図１における接続電線解除具を備えたねじなし端子台構造１のＡ−Ａ線での矢印方向から見た要部断面図である。また、図４（ｂ）はケースＣ１２に対する接続電線解除具３０の位置関係、及びケースＢ１１に対する接続電線解除具３１の位置関係を示した図である。装着防止手段の説明のため、接続電線解除具３０の側を自極側とし、接続電線解除具３１の側を他極側とする。
【００４０】
まず、装着防止手段として、ケースの壁部に設けられた壁部突出部と、接続電線解除具に設けられた凹部とから構成される形態について説明を行なう。
自極側のケースＣ１２の壁部には自極側の接続電線解除具３０が配置される場所において、第一の装着防止手段としての壁部突出部１２２が形成される。また、自極側の接続電線解除具３０には前記ケースＣ１２の壁部突出部に対応する位置において、接続電線解除具の凹部３０３が形成される。自極側においては、前記器体の電線挿入方向において、接続電線解除具３０の略中央部付近に前記凹部３０３が形成される。
【００４１】
また、前記壁部突出部１２２の長さは前記凹部３０３の深さにはまり込む程度に設けられており、なおかつ、接続電線解除具３０とケースＡ１０及びケースＣ１２との間隙の大きさは突出部１２２の長さよりも小さく設けられている。なお、前記凹部１２２の形状は、電線の抜き去り時に接続電線解除具３０を押し込むときに、壁部突出部１２２に当接しないよう長細い形状となっている。
【００４２】
他極側のケースＢ１１の壁部には、他極側の接続電線解除具３１が配置される場所において壁部突出部１１２が形成される。また、他極側の接続電線解除具３１には前記ケースＢ１１の壁部凹部に対応する位置において、第二の装着防止手段としての接続電線解除具の凹部３１３が形成される。
【００４３】
また、前記突出部３０２と同様に、前記壁部突出部１１２の長さは前記凹部３１３の凹みの深さにはまり込む程度に設けられており、なおかつ、接続電線解除具３１とケースＢ１１及びケースＣ１２との間隙の大きさは壁部突出部１１２の長さよりも小さく設けられている。なお、前記凹部３１３の形状は、電線の抜き去り時に接続電線解除具３１を押し込むときに、壁部突出部１１２に当接しないよう長細い形状となっている。
【００４４】
他極側における前記接続電線解除具３１の凹部３１３は、前記器体の電線挿入方向において、接続電線解除具３１の略中央部から偏った部分であって、なおかつ前記ケースＣ１２における壁部突出部１２２が設けられる位置からは偏った部分に設けられる。
【００４５】
さて、他極側における接続電線解除具３１を、自極側における接続電線解除具３０に代えて装着する場合には、第二の装着防止手段としての接続電線解除具３１の凹部３１３の形成位置が、自極側の第一の装着防止手段としての壁部突出部１２２の形成位置とは対応しない。即ち、前記突出部１２２が前記凹部３１３に入り込まず、該突出部１２２は接続電線解除具３１の側面に当接干渉し、カバーＡ１０をカバーＣ１２に組み合わせるときに突出部１２２の長さ程度カバーＡが浮き上がる。したがって、ケースＣ１２に対して、ケースＡ１０を組み合わせる作業を行なうときには、互いのケース間に前記接続電線解除具３１が挟まり、ケースＡ１０をケースＣ１２に完全には組み合わせることができない。
【００４６】
このように、接続電線解除具を備えたねじなし端子台を組み立てるにあたり、他極側の接続電線解除具３１を自極側に誤って組み付けたことが端子台の組み立て時に認識でき、製品として電気的に安全な接続電線解除具を備えたねじなし端子台を提供することができる。
【００４７】
（第三の実施形態）
第三の実施形態においては、前述した第一の実施形態及び第二の実施形態を組み合わせて構成したものである。即ち、ケースＣ１２及びケースＢ１１に壁部凹部１２１，１１１と壁部突出部１２２，１１２を形成する一方、夫々の接続電線解除具３０，３１に、前記壁部凹部及び壁部突出部に対応する位置に突出部３０２，３１２及び凹部３０３，３１３を形成したものである。図５を用いて、自極の電線接続端子部に対して他極用の接続電線解除具が自極に装着されることを防止する装着防止手段の構造について説明を行なう。
【００４８】
図５（ａ）は、図３及び図４と同様に、ケースＡ１０、ケースＢ１１、ケースＣ１２が正常に組み合わされて構成された場合の夫々のケース内における接続電線解除具と壁部との位置関係を、図１における接続電線解除具を備えたねじなし端子台構造１のＡ−Ａ線での矢印方向から見た要部断面図である。また、図５（ｂ）はケースＣ１２に対する接続電線解除具３０の位置関係、及びケースＢ１１に対する接続電線解除具３１の位置関係を示した図である。装着防止手段の説明のため、接続電線解除具３０の側を自極側とし、接続電線解除具３１の側を他極側とする。
【００４９】
自極側のケースＣ１２の壁部には自極側の接続電線解除具３０が配置される場所において、第一の装着防止手段としての壁部凹部１２１及び壁部突出部１２２が形成される。また、自極側の接続電線解除具３０には前記ケースＣ１２の壁部凹部に対応する位置において、接続電線解除具の突出部３０２が形成され、前記ケースＣ１２の壁部突出部に対応する位置において、接続電線解除具の凹部３０３が形成される。自極側においては、前記器体の電線挿入方向において、接続電線解除具３０の略中央部付近に前記突出部３０２が形成される。
【００５０】
また、前記突出部３０２の長さは前記壁部凹部１２１の凹みの深さにはまり込む程度に設けられており、前記壁部突出部１２２の長さは前記凹部３０３の深さにはまり込む程度に設けられている。なおかつ、接続電線解除具３０とケースＡ１０及びケースＣ１２との間隙の大きさは突出部３０２の長さよりも小さく設けられ、突出部１２２の長さよりも小さく設けられている。なお、前記壁部凹部１２１の形状及び前記凹部１２２の形状は、電線の抜き去り時に接続電線解除具３０を押し込むときの変位に追随する前記突出部３０２の変位及び壁部突出部１２２の形状を避けられるよう長細い形状となっている。
【００５１】
他極側のケースＢ１１の壁部には、他極側の接続電線解除具３１が配置される場所において壁部凹部１１１及び壁部突出部１１２が形成される。また、他極側の接続電線解除具３１には前記ケースＢ１１の壁部凹部に対応する位置において、第二の装着防止手段としての接続電線解除具の突出部３１２及び凹部３１３が形成される。
【００５２】
また、前記突出部３０２と同様に、前記突出部３１２の長さは前記壁部凹部１１１の凹みの深さにはまり込む程度に設けられ、前記壁部突出部１１２の長さは前記凹部３１３の凹みの深さにはまり込む程度に設けられている。
なおかつ、接続電線解除具３１とケースＢ１１及びケースＣ１２との間隙の大きさは突出部３１２の長さよりも小さく設けられ、壁部突出部１１２の長さよりも小さく設けられている。なお、前記壁部凹部１１１の形状及び前記凹部３１３の形状は、電線の抜き去り時に接続電線解除具３１を押し込むときの変位に追随する前記突出部３１２の変位及び壁部突出部１１２の形状を避けられるよう長細い形状となっている。
【００５３】
他極側における前記接続電線解除具３１の突出部３１２及び凹部３１３は、前記器体の電線挿入方向において、接続電線解除具３１の略中央部から偏った部分であって、なおかつ前記ケースＣ１２における壁部凹部１２１が設けられる位置、及び壁部突出部１２２が設けられる位置からは偏った部分に設けられる。
【００５４】
さて、他極側における接続電線解除具３１を、自極側における接続電線解除具３０に代えて装着する場合には、第二の装着防止手段としての接続電線解除具３１の突出部３１２の形成位置が、自極側の第一の装着防止手段としての壁部凹部１２１の形成位置とは対応しないことに区加え、接続電線解除具３１の凹部３１３の形成位置が、自極側の壁部突出部１２２の形成位置とは対応しない。
即ち、前記突出部３１２が前記壁部凹部１２１に入り込まず、該突出部３１２はケースＣ１２の壁部表面に当接干渉する。また、前記突出部１２２が前記凹部３１３に入り込まず、該突出部１２２は接続電線解除具３１の側面に当接干渉する。
このため、カバーＡ１０をカバーＣ１２に組み合わせるときに突出部１２２の長さ程度カバーＡが浮き上がる。
したがって、ケースＣ１２に対して、ケースＡ１０を組み合わせる作業を行なうときには、互いのケース間に前記接続電線解除具３１が挟まり、ケースＡ１０をケースＣ１２に完全には組み合わせることができない。
【００５５】
このように、接続電線解除具を備えたねじなし端子台を組み立てるにあたり、他極側の接続電線解除具３１を自極側に誤って組み付けたことが端子台の組み立て時に認識でき、製品として電気的に安全な接続電線解除具を備えたねじなし端子台を提供することができる。
【００５６】
尚、本発明は、上記実施形態に限定されるものではなく、本発明の要旨を逸脱しない範囲で種々の変更が可能である。
【００５７】
例えば、前述した第三の実施形態において、他極側の接続電線解除具３１を自極側に配置できなくする変形例として、前記壁部凹部１１１、突出部３１２、壁部突出部１１２及び凹部３１３を無くしたものが考えられる。この変形例において、自極側に他極側の接続電線解除具３１を配置しようとした場合には、自極側における突出部１２２に接続電線解除具３１の側部が当接し適切な配置が妨げられる。一方、他極側に自極側の接続電線解除具３０を配置しようとした場合には、自極側の接続電線解除具３０における突出部が他極側におけるケースＢ１１に当接し、適切な配置が妨げられる。このように、第三の実施形態における接続電線解除具における突出部と凹部、ケースにおける突出部と凹部の組み合わせを変えて構成してもよい。
【００５８】
また、他の変形例として、第三の実施形態において、突出部の長さ及び凹部の凹みの深さを違えて接続電線解除具及びケースを形成してもよい。この場合には、突出部と凹部の配置位置を電線挿入方向において偏った位置に設けることなく同じ位置に設けて配置することが可能となる。
【符号の説明】
【００５９】
１  接続電線解除具を備えたねじなし端子台
１０  ケースＡ
１１  ケースＢ
１２  ケースＣ
２０  電線挿入孔
２１  電線挿入孔
３０  接続電線解除具
３１  接続電線解除具
３０１  鎖状ばね押圧部
４０  鎖状ばね
５０  金属製の金具
６０  電線
１１１  壁部凹部
１２１  壁部凹部
３１２  突出部
３０２  突出部
３１３  壁部凹部
３０３  壁部凹部
１１２  突出部
１２２  突出部
【図１】
2013165050.tif 000003
【図２】
2013165050.tif 000004
【図３】
2013165050.tif 000005
【図４】
2013165050.tif 000006
【図５】
2013165050.tif 000007
【図６】
2013165050.tif 000008
【図７】
2013165050.tif 000009